(57)【要約】  【課題】効率よくビート収穫作業ができる農作業機を提供する。  【解決手段】農作業機１は、所定方向に回転しながらビートＡの茎葉部Ａ1を荒切りする荒切り手段４を備える。農作業機１は、荒切り手段４の後方でビートＡの残存茎葉部Ａ2をその付根位置で切断する切断手段９を備える。切断手段９は、ビートＡの高さに追従するように上下動しながらビートＡの残存茎葉部Ａ2をその付根位置で切断する切断体11を有する。切断体11には、切断した残存茎葉部Ａ2を側方に向けて案内してビートＡ上から除去する除去体26を取り付ける。  【選択図】図１
2006197894.tif 000002
【特許請求の範囲】
【請求項１】
所定方向に回転しながらビートの茎葉部を荒切りする荒切り手段と、
この荒切り手段の後方で、ビートの残存茎葉部をその付根位置で切断する切断手段とを備え、
前記切断手段は、
ビートの高さに追従するように上下動しながらビートの残存茎葉部をその付根位置で切断する切断体と、
この切断体に設けられ、前記切断体にて切断された残存茎葉部を側方に向けて案内してビート上から除去する除去体とを有する
ことを特徴とする農作業機。
【請求項２】
切断体は、上下方向および左右方向に位置調節可能となっている
ことを特徴とする請求項１記載の農作業機。
【請求項３】
除去体は、切断体の棒取付部分に基端部が取り付けられ先端部が自由端部となっている複数本の棒部材にて構成されている
ことを特徴とする請求項１または２記載の農作業機。
【発明の詳細な説明】
【技術分野】
【０００１】
本発明は、次工程のビート収穫作業を効率良く行うことができる農作業機に関するものである。
【背景技術】
【０００２】
従来、ビートを収穫する前に圃場のビートに対して茎葉切断処理を行う農作業機として、歯状輪と切断刃とを備えてこれら歯状輪と切断刃との間隔を調整できるようにしたビート用茎葉切断装置が知られている（例えば、特許文献１参照）。
【特許文献１】特昭４４−３０５６４号公報
【発明の開示】
【発明が解決しようとする課題】
【０００３】
しかしながら、上記従来の農作業機を使用して茎葉切断処理を行った場合、切断された茎葉がビート上に位置し、ビートがその茎葉にて覆い隠された状態となるため、次工程のビート収穫作業が煩雑となるおそれがある。
【０００４】
本発明は、このような点に鑑みなされたもので、次工程のビート収穫作業を効率良く行うことができる農作業機を提供することを目的とする。
【課題を解決するための手段】
【０００５】
請求項１記載の農作業機は、所定方向に回転しながらビートの茎葉部を荒切りする荒切り手段と、この荒切り手段の後方で、ビートの残存茎葉部をその付根位置で切断する切断手段とを備え、前記切断手段は、ビートの高さに追従するように上下動しながらビートの残存茎葉部をその付根位置で切断する切断体と、この切断体に設けられ、前記切断体にて切断された残存茎葉部を側方に向けて案内してビート上から除去する除去体とを有するものである。
【０００６】
そして、切断手段の切断体にてビートの残存茎葉部をその付根位置で切断でき、切断手段の除去体にてその切断された残存茎葉部を側方に向けて案内してビート上から除去できるため、次工程のビート収穫作業を効率良く行うことが可能である。
【０００７】
請求項２記載の農作業機は、請求項１記載の農作業機において、切断体は、上下方向および左右方向に位置調節可能となっているものである。
【０００８】
そして、切断体が上下方向および左右方向に位置調節可能となっているため、圃場の状況に応じて切断体の位置を調整可能で、切断精度を向上することが可能である。
【０００９】
請求項３記載の農作業機は、請求項１または２記載の農作業機において、除去体は、切断体の棒取付部分に基端部が取り付けられ先端部が自由端部となっている複数本の棒部材にて構成されているものである。
【００１０】
そして、切断体の棒取付部分に基端部が取り付けられ先端部が自由端部となっている複数本の棒部材にて構成された除去体によって、切断体にて切断された残存茎葉部を適切にビート上から除去することが可能である。
【発明の効果】
【００１１】
請求項１に係る発明によれば、切断手段の切断体にてビートの残存茎葉部をその付根位置で切断でき、切断手段の除去体にてその切断された残存茎葉部を側方に向けて案内してビート上から除去できるため、次工程のビート収穫作業を効率良く行うことができる。
【００１２】
請求項２に係る発明によれば、切断体が上下方向および左右方向に位置調節可能となっているため、圃場の状況に応じて切断体の位置を調整でき、切断精度を向上できる。
【００１３】
請求項３に係る発明によれば、切断体の棒取付部分に基端部が取り付けられ先端部が自由端部となっている複数本の棒部材にて構成された除去体によって、切断体にて切断された残存茎葉部を適切にビート上から除去できる。
【発明を実施するための最良の形態】
【００１４】
本発明の農作業機の一実施の形態を図面を参照して説明する。
【００１５】
図１において、１は農作業機で、この農作業機１は、走行車であるトラクタ（図示しない）の後部に連結され、このトラクタの走行により圃場上を畝に沿って前方に移動しながら、ビート収穫作業の前処理として圃場のビートＡに対して茎葉切断処理を行うビート用茎葉切断装置である。
【００１６】
農作業機１は、トラクタの後部の３点リンク部に連結される機体２を備えている。
【００１７】
機体２には、トラクタＴの図示しないＰＴＯ軸にユニバーサルジョイント等を介して連結される入力軸３からの動力を伝動手段（図示せず）を介して受けて左右方向の回転中心軸線を中心として所定方向に回転しながらビートＡの茎葉部Ａ1を荒切り砕断する荒切り手段４が回転可能に設けられている。荒切り手段４は、左右方向に長手状の回転軸５を有し、この回転軸５には複数のフレール式（例えばＬ字状またはカップ状）の刈刃６が取り付けられている。
【００１８】
また、機体２は左右方向に長手状で角パイプ状の取付フレーム部８を後部に有し、この取付フレーム部８には、荒切り手段４の後方でビートＡの残存茎葉部Ａ2をその付根位置で切断する複数、例えば左右対称の２つの切断手段（ビートタッパ部）９が脱着可能に取り付けられている。また、機体２の取付フレーム部８には、２つのゲージ輪10が取付フレーム部８に対して左右方向に位置調節可能に取り付けられている。ゲージ輪10は機体２の取付フレーム部８に対して脱着可能となっている。
【００１９】
ここで、各切断手段９は、図２および図３にも示すように、ビートＡの高さつまりビートＡの畝上面からの突出量に追従するように上下動しながらビートＡの残存茎葉部Ａ2をその付根位置で切断する上下動可能な切断体11を有し、この切断体11は機体２に対して上下方向および左右方向に位置調節可能となっている。
【００２０】
切断体11は、機体２の取付フレーム部８に支持機構12を介して取り付けられている。支持機構12は、機体２の取付フレーム部８にこの取付フレーム部８の長手方向に沿って左右方向に位置調節可能に取り付けられたベース13と、このベース13の上下面開口状の筒状部14にこの筒状部14の軸方向に沿って上下方向に位置調節可能に取り付けられた支持アーム15と、この支持アーム15に前端部が左右方向の軸17を介して回動可能に連結され後端部が切断体11のアーム部20の上部に左右方向の軸18を介して回動可能に連結された平行リンク16とを有している。なお、平行リンク16の一方は、切断体11の角度を微調整できるように長さ調節可能となっている。
【００２１】
そして、切断体11の上下方向に長手状のアーム部20の下部には、くし状そり部21と板状そり部22とがそれぞれ設けられている。板状そり部22の下面22aは、くし状そり部21のくし部分24の下面21aより下方に位置する。また、板状そり部22にはビートＡの残存茎葉部Ａ2をその付根位置で切断する水平板状の刃部23が設けられ、この刃部23はくし状そり部21の後方やや下方位置に位置する。なお、切断体11は、アーム部20、くし状そり部21、板状そり部22および刃部23等にて構成されている。
【００２２】
また、各切断手段９は、切断体11にて切断され圃場のビートＡから分離された残存茎葉部（切断物）Ａ2を進行方向側方に向けて案内してビートＡ上から除去する除去体26を有し、この除去体26は切断体11に設けられている。
【００２３】
除去体26は、例えば切断体11のくし状そり部22の垂直板状の棒取付部分25に基端部が取り付けられ先端部が自由端部となっている複数本、例えば上下方向に平行に並んだ３本の弾性変形可能な棒部材27にて構成されている。
【００２４】
次に、上記一実施の形態の農作業機１の動作を説明する。
【００２５】
圃場のビートＡをビートハーベスター（図示せず）を使用して収穫する場合、まず、上記農作業機（ビート用茎葉切断装置）１を用いて圃場のビートＡに対して茎葉切断処理を行う。
【００２６】
農作業機１をトラクタの走行により圃場上を畝に沿って前方に移動させると、荒切り手段４の刈刃６にてビートＡの茎葉部Ａ1が荒切り砕断される。
【００２７】
荒切り手段４の進行方向後方位置では、支持機構12の平行リンク16にて上下動可能に支持された切断体11が、ビートＡの高さに追従するように上下動しながら、圃場のビートＡの残存茎葉部Ａ2をその付根位置で切断する。そして、この切断体11にて切断された残存茎葉部Ａ2は、除去体26の棒部材27にて側方に向けて案内され、ビートＡの上方位置から除去され、畝間の溝に落下する。このため、圃場のビートＡが切断された茎葉にて覆い隠された状態となるような不具合が生じない。
【００２８】
その後、ビートハーベスター（図示せず）を圃場の畝に沿って移動させることにより、茎葉切断処理済みのビートＡが効率よく収穫される。
【００２９】
このように上記農作業機１によれば、切断手段９の切断体11にてビートＡの残存茎葉部Ａ2をその付根位置で切断でき、切断手段９の除去体26にてその切断された残存茎葉部Ａ2を側方に向けて案内してビートＡ上から除去できるため、ビートハーベスターによる次工程のビート収穫作業を効率良く行うことができ、ビートハーベスターの作業性の向上を図ることができる。
【００３０】
しかも、切断手段９の切断体11が機体２に対して上下方向および左右方向に位置調節可能となっているため、圃場の状況に応じて切断体11の上下位置および左右位置を調整でき、よってビートＡの切断精度を向上できる。
【００３１】
また、切断手段９およびゲージ輪10が機体２の取付フレーム部８に対して脱着可能となっているため、切断手段９およびゲージ輪10を取付フレーム部８から取り外すことにより、農作業機１を通常のフレームモアとして使用することができる。
【００３２】
なお、切断体11はくし状そり部21と板状そり部22とを有するものには限定されず、例えば複数本のくし部分24を有するくし状そり部21のみを有するもの、或いは板状そり部22のみを有するもの等でもよい。
【００３３】
また、除去体26は、弾性変形可能な複数本の棒部材27にて構成されたものには限定されず、例えば板部材等にて構成されたもの等でもよい。
【図面の簡単な説明】
【００３４】
【図１】本発明の農作業機の一実施の形態を示す側面図である。
【図２】同上農作業機の要部側面図である。
【図３】同上農作業機の要部平面図である。
【符号の説明】
【００３５】
１    農作業機
４    荒切り手段
９    切断手段
11    切断体
25    棒取付部分
26    除去体
27    棒部材
Ａ    ビート
Ａ1    茎葉部
Ａ2    残存茎葉部
【図１】
2006197894.tif 000003
【図２】
2006197894.tif 000004
【図３】
2006197894.tif 000005